(57)【要約】      （修正有）【課題】座部に座った使用者が自分の体重を利用し、随時容易に、背面にあるすべてのつぼに対し、または、そのつぼのうち、自分が望むつぼ（例えば肩凝りにきくつぼ、あるいは腰痛にきくつぼ）だけに対し、自分が望む最適の強さの刺激を最適の角度で与えたり、あるいはまた、それを普通のリクライニング・シートとしても使用できるリクライニングつぼ押し機を提供する。【解決手段】座部に対して背もたれ角度を多段階に調整可能に接続した背もたれ部の上表面において、体の背面全体に存在する主要なつぼのすべてに相対する位置に、つぼ押圧子挿入孔を設けたつぼ押し部と、前記挿入孔に抜き差し自在に挿入できる脚部およびそれに連なる頭部を有するつぼ押圧子とから構成する。【選択図】図１
0003144526.tif 000002
【実用新案登録請求の範囲】
【請求項１】
座部に対して背もたれ角度を多段階に調整可能に接続した背もたれ部の上表面において、体の背面全体に存在する主要なつぼのすべてに相対する位置に、つぼ押圧子挿入孔を設けたつぼ押し部と、前記挿入孔に抜き差し自在に挿入できる脚部およびそれに連なる頭部を有するつぼ押圧子とから成ることを特徴とするリクライニングつぼ押し機。
【請求項２】
背もたれ部の上縁にヘッドレストを載置し、両者を弾性連結具で接続したことを特徴とする請求項１に記載のリクライニングつぼ押し機。
【請求項３】
つぼ押圧子挿入孔を、各つぼについて、当該つぼの位置およびその近傍にそれぞれ複数個ずつ設けるようにしたことを特徴とする請求項１または請求項２に記載のリクライニングつぼ押し機。
【請求項４】
背もたれ部の後側または内側に、つぼ押圧子収納部を付設したことを特徴とする請求項１、請求項２または請求項３に記載のリクライニングつぼ押し機。
【請求項５】
つぼ押圧子挿入孔の開口部に閉塞子を配設し、つぼ押圧子が挿入されないときに、前記閉塞子の上面がつぼ押し部の上表面とほぼ同一面になり前記挿入孔の開口部を閉塞するように構成したことを特徴とする請求項１、請求項２、請求項３または請求項４に記載のリクライニングつぼ押し機。
【考案の詳細な説明】
【技術分野】
【０００１】  本考案は、体の背面のつぼ（灸点または経穴）を、電気や熱などのエネルギーを使うことなく使用者が自己の体重を利用して、任意に押圧することができるように構成されたリクライニング機器に関する。
【背景技術】
【０００２】  リクライニングするマッサージ機としては、特許文献１に記載されたものが知られているが、そのものは、背もたれ部５に揉み輪式、振動式等のマッサージ機構部４を格納し、揉み輪１４がモーター１５に駆動されて上下動することにより、座椅子に座った人の背面をマッサージするようになっている。しかし、この種のマッサージでは、背面の同じ箇所（例えば、背骨の両側部）のみに、繰り返して同じ刺激を与えるだけで、背面に広がる多数のつぼを一斉に押圧し、それらに同時に十分な刺激を与えることができない。また、このものはモータ駆動のマッサージ機構部を有するから、製造費がかかり高価なものとなる。【０００３】  背面のすべてのつぼに一斉に刺激を与えられるように構成したものとしては、特許文献２に記載されたものがある。このものは、板状体１の上表面２に背面のすべてのつぼに対する押圧子３を配置し、その上に仰臥し、押圧子３に背面を密接させて横たわり、自分の体重によりつぼを刺激するようになっている。したがって、高価なマッサージ機構部などを要せずに、低廉な価格のつぼ押し機を提供できる。【０００４】  しかし、後者のものにあっては、板状体１は常に静止しており、押圧子３は背面の各つぼの一定点を押圧するだけであるから、自ら体をもじもじ動かすなどしない限り、背面の押圧される部位の位置を変えることはできない。また、この押圧子１による押圧力は垂直方向に働くだけであるから一定の方向の、一定の強さの刺激しか与えられず、さまざまな角度をもって、またさまざまの強さをもって背面の各特定部位を押圧し、それらに強さと角度の異なった刺激を与えるということができない。【０００５】
【特許文献１】  特開２００１−２９９８４７号公報
【特許文献２】  特開２００６−２７１９０６号公報
【考案の開示】
【考案が解決しようとする課題】
【０００６】  本考案が解決しようとする課題は、座部に座った使用者が自分の体重を利用し、随時容易に、背面にあるすべてのつぼに対し、または、そのつぼのうち、自分が望むつぼ（例えば肩凝りにきくつぼ、あるいは腰痛にきくつぼ）だけに対し、自分が望む最適の強さの刺激を最適の角度で与えたり、あるいはまた、つぼへの刺激は一切やめにして普通のリクライニング・シートとして使用したりすることのできる機器を、廉価に提供することにある。
【課題を解決するための手段】
【０００７】  使用者が自分の体重を利用し、随時容易に、背面にあるすべてのつぼに対し、または、そのつぼのうち、自分が望むつぼだけに対し、自分が望む最適の強さの刺激を最適の角度で与えたり、あるいはまた、つぼへの刺激は一切やめにして普通のリクライニング・シートとして使用したりすることのできるようにするため、本考案は、座部に対して背もたれ角度を多段階に調整可能に接続した背もたれ部の上表面において、体の背面全体に存在する主要なつぼのすべてに相対する位置に、つぼ押圧子挿入孔を設けたつぼ押し部と、前記挿入孔に抜き差し自在に挿入できる脚部およびそれに連なる頭部を有するつぼ押圧子とから構成した。【０００８】  首の付け根の肩に散在するつぼを、特に意のままに押圧できるようにするため、本考案は、背もたれ部の上縁にヘッドレストを載置し、両者を弾性連結具で接続した。【０００９】  体格の著しく異なる使用者にも適合できるようにするため、本考案は、つぼ押圧子挿入孔を、各つぼについて、当該つぼの位置およびその近傍にそれぞれ複数個ずつ設けるようにした。【００１０】  多種多様のつぼ押圧子を常時収納し、その散逸を防ぐため、本考案は、背もたれ部の後側または内側に、つぼ押圧子収納部を付設した。【００１１】  普通のリクライニング・シートとして使用するときに、違和感を与えないようにするため、本考案は、つぼ押圧子挿入孔の開口部に閉塞子を配設し、つぼ押圧子が挿入されないときに、前記閉塞子の上面がつぼ押し部の上表面とほぼ同一面になり前記挿入孔の開口部を閉塞するように構成した。
【考案の効果】
【００１２】  本考案は、つぼ押し部を「背もたれ部の上表面において、体の背面全体に存在する主要なつぼのすべてに相対する各位置に、それぞれつぼ押圧子挿入孔を設けた」ものとしているから、体の背面全体に存在する主要なつぼのすべてに対して使用者が所望するつぼを選択して、それに刺激を与えることができる。また、つぼ押圧子を「前記挿入孔に抜き差し自在に挿入できる脚部およびそれに連なる頭部を有する」ものとしているから、使用者は随時きわめて容易につぼ押圧子を抜き差しし、体の背面全体に存在する主要なつぼのすべての中から、自分が望む箇所だけを自由に選んで望む強さの刺激を与えることができる。主要なつぼのすべてを一時に刺激しても良く、すべてのつぼを刺激しないようにしても良いことは勿論である。【００１３】  しかも、本考案の背もたれ部は、「座部に対して背もたれ角度が多段階に調整可能に接続され」ているから、背もたれ角度を適宜選ぶことにより、各つぼに対する押圧力の角度や強さを任意に変えることができる。すなわち、背もたれ角度が小さいときは、押圧力はほぼ直角に近い角度でつぼに当たり、押圧子にかかる体重も小さいから押圧力も小さく刺激も余りなく、背もたれ角度を大きく背もたれ部を水平に近く倒せば、背面の押圧される部位と押圧子挿入孔との相対位置がずれるため、押圧力がつぼに対し斜めに作用するようになる。押圧子にかかる体重も大きくなり、角度が変わった一層強い刺激を与えることができるようになる。【００１４】  本考案のヘッドレストは、「背もたれ部の上縁に弾性連結具で接続」されているから、使用者は、頭を後ろにそらせることにより、ヘッドレストを深くまたは浅く傾倒させることができる。深く傾倒させれば、首の付け根の肩に散在するつぼを強く刺激し、浅く傾倒させればそれらのつぼへの刺激が弱くなり、自分の意思でその部の刺激を強くしたり弱くしたりして、その部の凝りを緩解させることができる。しかも、その強さは、さらに背もたれ部の背もたれ角度を選ぶことによって、前述したところと同様に自分の好みのままに変化させることができる。【００１５】  本考案は、「つぼ押圧子挿入孔を、各つぼについて、当該つぼの位置およびその近傍にそれぞれ複数個ずつ設けるようにした」から、使用者の体格に応じて、複数個あるつぼ押圧子挿入孔のうち自分にあった挿入孔を選びそれにつぼ押圧子を挿入し使用することができる。例えば、最初は、一般的なつぼの位置に設けられたつぼ押圧子挿入孔につぼ押圧子を挿入して、その上に仰臥してみて具合を確かめ、あまりきかないようであればそれを抜き取り、その近傍のつぼ押圧子挿入孔につぼ押圧子を挿入し直してみる。このようにすれば、自分に最適な位置を見つけ出して、自分に最適なつぼに対し最も効果のある刺激を容易に与えることができる。【００１６】  つぼ押圧子は、頭部の高さ、形状または頭部の面積等を異ならせた多種多様のものが考えられるが、それら多数のつぼ押圧子は、近くに収納場所がないと散逸し、必要なものを直ちに取り出すことができなくなる。本考案は、その問題を「背もたれ部の後側または内側に、つぼ押圧子収納部を付設した」ことにより解決した。【００１７】  つぼ押圧子を全部抜き取ったとき、つぼ押圧子挿入孔が開口したままであると、開口部分だけが体の背面に密接せず違和感が生じる。背もたれ部を傾倒したときには特にそれが感じ易くなる。また、そこから塵埃が入ったりもする。本考案では、「つぼ押圧子挿入孔の開口部に閉塞子を配設し、つぼ押圧子が挿入されないときに、前記閉塞子の上面がつぼ押し部の上表面とほぼ同一面になり開口部を閉塞するように構成してあるから、このような問題も解決でき、普通のリクライニング・シートと同様の使用感が得られる。【００１８】  叙上の説明から明らかなように、本考案の最大の利点は、背もたれ部のリクライニングに対し多数のつぼ押圧子を組み合わせたことにより、背面の主要なつぼのうちのいずれのつぼに対しても、使用者が望む箇所のつぼを選び、望みとおりの角度で望むとおりの強さの刺激を望みとおりの角度で与えたり、刺激を一切与えなかったりすることができる点である。
しかも、本考案は、従来の技術のように、他者の手を借りたり、複雑で精密な機械装置や高価な交流高電圧治療機などを用いていないから、これを具体化した機器の制作費は極めて低く押さえられ、その使用に際しても、つぼ押圧子を挿入孔に挿入したり抜き取ったり、背もたれ部の背もたれ角度を変えたりするだけでよいから、極めて簡単であり誰にでもできる。
【考案を実施するための最良の形態】
【００１９】  座部に対して背もたれ角度を多段階に調整可能に接続した背もたれ部の上表面に、体の背面全体に存在する主要なつぼのすべてに相対する位置において、つぼ押圧子挿入孔を設けたつぼ押し部と、前記挿入孔に抜き差し自在に挿入できる脚部およびそれに連なる頭部を有するつぼ押圧子とから構成する。
【実施例】
【００２０】  図面を参照しながら、本考案の実施例について説明する。
図１は、本考案に係るリクライニングつぼ押し機の一例を示す斜視図である。
図２は、つぼ押し部４の主要部を体の長さ方向に断面し、それとつぼ押圧子７との関係を示した側面図である。
図３は、体の背面全体に存在する主要な一般的つぼのすべての位置を黒点で例示した概念図である。
図４は、リクライニングする背もたれ部２ならびにヘッドレスト８と首の付け根と肩に散在するつぼとの関係を示す側面図である。
図５は、背もたれ部２の後側のつぼ押圧子収納部１０を示す斜視図である。
図６は、各種実施例における閉塞子１２とつぼ押圧子挿入孔４との関係を示す断面図である。【００２１】  つぼ押し部４は、図１、図２に明示したとおり、体の背面全体に存在する主要なつぼのすべてが相対して位置することができるように、正常な体の背面に密接する曲面に形成する。その素材としては、ＦＲＰ（繊維強化プラスチック）などが推奨される。なお、つぼ押し部４のサイズについては、平均的な大人のものとすれば、多少の対格差や身長差はそれでカバーできるから、多くの場合そのサイズで足りる。【００２２】  人の背面の全域には、図３の黒点で示したように多数のつぼが存在する。したがって、つぼ押し部４には、それらのつぼのすべてに相対することができる位置に、つぼ押圧子挿入孔３を穿つ。該挿入孔３は、図２に示す貫通孔の形にしても良いし、図６で示すように有底の孔としても良いが、製造コストの面のみを考慮すると、前者が有利である。
つぼ押圧子挿入孔３の径と深さは、後に詳述するつぼ押圧子７の脚部５が容易に抜き差しでき、かつ挿入したとき妄りに揺れ動いたり抜け出たりしないようなものとすることが望ましい。【００２３】  つぼ押し部４を備えた背もたれ部２は、リクライニング機構１３（図４を参照。）を用いて、座部１に対し背もたれ角度が多段階に調整可能となるように接続する。
リクライニング機構１３は、ギヤを用いたジョイント装置など公知のものが用いられる。そして、座部１に対し９０度から１８０度まで随時角度を変え、所望の角度で固定できるものとする。その角度を０度にして折り畳めるようにすれば、収納に便利になるのは言うまでもない。
また本考案を座椅子として利用するときには、図１、図４に示す転倒防止フレーム１４を設ける。そしてこのフレーム１４を座部１の内部に差し込みまたは座部１から引き出せるものとすれば、背もたれ部２を折り畳むときにはそれを座部１に押し込んで、不使用時の容積を小さくすることができる。【００２４】  ヘッドレスト８は、背もたれ部２の上縁に、弾性連結具９（図４、図５を参照。）により接続する。弾性連結具９の素材や構造は、使用者が頭をそらせてヘッドレスト８を容易に後ろに傾倒できる程度の弾力性をもったものでありさえすればよい。【００２５】  つぼ押圧子挿入孔３は、各つぼについて、当該つぼに位置およびその近傍にそれぞれ複数個ずつ設けることができる。つぼの位置については、標準的なつぼ押し機においては、通常最も一般的に知られている位置を選ぶ。それに対応できない特効つぼに対しては、別のつぼ押し部４を有する背もたれ部２を準備する。【００２６】  つぼ押圧子挿入孔３は、図２に示すものに限らない。図６に示すように、つぼ押圧子７の脚部５が挿入できる形にした開口部１１とその下方に連なる有底空洞部とから成るものとし、前記開口部１１の周縁に係止肩部１５を形設して、つぼ押圧子挿入孔３に挿入されたつぼ押圧子７の係止片１６が前記係止肩部１５によって係止できるようにすることができる。それらを叙上の構造にした場合には、図６の中央に示したつぼ押圧子７を垂直に押し下げると、係止片１６は係止肩部１５の間隙をすり抜け挿入孔３中に深く挿入される。その状態でつぼ押圧子７を回転させると、係止片１６を図６の右方に示すとおり係止肩部１５に係合させることができる。【００２７】  つぼ押圧子７を抜き取り、普通のリクライニング・シートとして使用するときに、違和感を与えないようにするため、閉塞子１２の上面がつぼ押し部４の上表面とほぼ同一面になるように、つぼ押圧子挿入孔３の開口部１１を閉塞する手段としては、図６に示したものに限らない。他の手段としては、図示は省略するが、挿入孔３の開口部１１の周縁を凹陥させ、そこにその深さに等しい縦長さの頭部をもった閉塞子１２を嵌め込むようにすることもできる。【００２８】  つぼ押圧子７の素材には、木、アルミ、ステンレス、ＦＲＰ（繊維強化プラスチック）、硬質ゴム、硬質プラスチック、等が用いられる。その脚部５は、つぼ押圧子挿入孔４の開口部１１に容易に挿入できる大きさで挿入孔４の中において妄りに動かない形状にする。頭部６と脚部５とは一体に成型しても良いし、別体のものを組み立てるようにしても良い。
そして、その脚部５は、図２に示す形のもののみならず、図６に示すように側方に張り出した係止片１６を設けたものとすることができ、その構造にした場合には、前記したように、つぼ押圧子７をつぼ押圧子挿入孔３に挿入してからある角度だけ回わして、つぼ押圧子７をその位置で動かないように係止させることができる。
頭部６の表面は、必要に応じて布、ゴム、軟質プラスチック等でカバーするようにする。【００２９】  つぼ押圧子７の頭部６は、使用者が自己の症状に応じて自由に最適のつぼ押圧子７を選ぶことができるようにするため、その高さ、形状または頭頂の面積等が異なる複数個のものを準備することができる。
頭部６と脚部５を別体に作り、両者がねじ結合できるような構造にすれば、複数種の頭部を同一の脚部５に随意ねじ付け、取り替えることができ、脚部５の数を減らすこともできる。【００３０】  閉塞子１２の素材は、つぼ押し部４の上表面と同質のものが望ましい。
図６に示した閉塞子１２は、つるまきバネ等の弾性体２０によって下から押し上げられるように付勢されている。【００３１】  背もたれ部２の後側または内側にには、つぼ押圧子収納部１０を付設する。背もたれ部２の後側に付設するときは、図５に示すように、伸縮性のある布等を用い、背もたれ部２の背板１９にその両側と下側を接着部１７で接着する。１８は上側の口に付けたつまみである。図示のつぼ押圧子収納部１０は一つしかないが、これを複数にすれば異なる複数のつぼ押圧子７を分けて収納することができる。背もたれ部２の内側に付設するつぼ押圧子収納部１０については説明を省略するが、空所に収納部を作る公知の手段が適宜用いられる。
【図面の簡単な説明】
【００３２】
【図１】  本考案に係るリクライニングつぼ押し機の一例を示す斜視図。
【図２】  つぼ押し部４の主要部を体の長さ方向に断面し、それとつぼ押圧子７との関係を示した側面図。
【図３】  体の背面全体に存在する主要な一般的つぼのすべての位置を黒点で例示した概念図。
【図４】  リクライニングする背もたれ部２ならびにヘッドレスト８と首の付け根と肩に散在するつぼとの関係を示す側面図。
【図５】  背もたれ部２の後側のつぼ押圧子収納部１０を示す斜視図。
【図６】  各種実施例におけるつぼ押圧子７ならびに閉塞子１２とつぼ押圧子挿入孔４との関係を示す断面図。
【符号の説明】
【００３３】１        座部
２        背もたれ部
３        つぼ押圧子挿入孔
４        つぼ押し部
５        脚部
６        頭部
７        つぼ押圧子
８        ヘッドレスト
９        弾性連結具
１０      つぼ押圧子収納部
１１      開口部
１２      閉塞子
【図１】
0003144526.tif 000003
【図２】
0003144526.tif 000004
【図３】
0003144526.tif 000005
【図４】
0003144526.tif 000006
【図５】
0003144526.tif 000007
【図６】
0003144526.tif 000008